(57)【要約】【課題】特定エリアで積極的にインスタントメッセージや現在地情報を送るためのシステムと特定エリアにいる個人ユーザまたはグループメンバーが情報内容を理解するためのシステムおよび方法を提供する。【解決手段】バックサイトデバイス機能モジュールから、1つ以上のサービスデバイス機能モジュールにある処理デバイス機能モジュールに転送されたメッセージや機能を判断するために使用される制御デバイス機能モジュールが搭載される。バックサイトデバイス機能モジュールは処理デバイス機能モジュールのメッセージを選択するために適用される。1つ以上のサービスデバイス機能モジュールは、バックサイトデバイス機能モジュールからユーザの携帯デバイスにメッセージを転送する。この1つ以上のサービスデバイス機能モジュールにはWiFi デバイスや処理デバイス機能モジュールが含まれる。【選択図】図１
2015026168.tif 000002
【特許請求の範囲】
【請求項１】
特定エリアでインスタントメッセージや現在地情報を通知するためのシステムであって、
バックサイトデバイス機能モジュールから入力され、1つ以上のサービスデバイス機能モジュールにある処理デバイス機能モジュールに転送されたメッセージや機能を判断するために使用される制御デバイス機能モジュールを備え、該制御デバイス機能モジュールは、1つ以上のサービスデバイス機能モジュールの機能やメッセージを処理し、1つ以上のサービスデバイス機能モジュールのWiFi （ワイヤレス・フィディリティ）デバイスを経由して携帯デバイスに転送されたかを判断するためにコントラクトの使用が有効であるかを見極め、
バックサイトデバイス機能モジュールを備え、該バックサイトデバイス機能モジュールは、1つ以上のサービスデバイス機能モジュールの処理デバイス機能モジュールのメッセージを選択し、制御するために適用され、制御デバイス機能モジュールは、処理デバイス機能モジュールのメッセージがユーザに転送されたかを判断するためにコントラクトの使用が有効であるかを見極め、
1つ以上のサービスデバイス機能モジュールを備え、該サービスデバイス機能モジュールは、バックサイトデバイス機能モジュールからユーザの携帯デバイスにメッセージを転送させ、1つ以上のサービスデバイス機能モジュールにはWiFi デバイスや処理デバイス機能モジュールが含まれ、1つ以上のサービスデバイス機能モジュール内で、処理デバイス機能モジュールは、テキストデバイスモジュール、音声デバイスモジュール、イラストレーテットデバイスモジュール、オーディオビジュアルデバイス、記録保管モジュール、場所情報記録デバイスモジュール、動的グループ管理デバイスモジュールを持ち、また、WiFi デバイスは、携帯デバイスから転送されたメッセージと内部コードに基づき処理デバイス機能モジュールのメッセージを計算するために使用され、これにより、特定エリアで、ユーザの話す言語でメッセージや現在地情報をユーザに通知し、機能が利用できるようになし、 
ユーザが特定エリアにいるとき、ユーザの携帯デバイスは、現在地情報、言語使用システムコード、グループ特定コードを1つ以上のサービスデバイス機能モジュールに転送するように準備し、言語のメッセージは、1つ以上のサービス デバイス機能モジュールの処理デバイス機能モジュールによって処理され、ユーザの携帯デバイスに WiFi デバイスから送信され、ユーザの携帯デバイスは、1つ以上のサービスデバイス機能モジュールから言語メッセージおよび言語機能を受信し、1つ以上のサービスデバイス機能モジュールは、ユーザのグループタイプを判断し、ユーザのグループタイプがグループメンバーと同一であれば、1つ以上のサービスデバイス機能モジュールがグループメンバーに動的メッセージを送信することを可能とし、ユーザの携帯デバイスのマップ上にグループメンバーの現在地情報が表示され、これにより、ユーザとそのグループメンバーは1つ以上のサービスデバイス機能モジュールを無料で使用することを可能とし、互いにメッセージ通信を送信し、グループメンバー間でコミュニケーションを取ることを可能とすることを特徴とする特定エリアでインスタントメッセージや現在地情報を通知するためのシステム。
【請求項２】
次のようなステップを経ることで特定エリアでインスタントメッセージや現在地情報を通知するための方法であって、
ステップ (A) ：携帯デバイスを特定エリアに持ち込む際、当該エリアにある1つ以上のサービスデバイス機能モジュールが携帯デバイスを検出し、当該デバイスにあいさつ文を送信し、その後、1つ以上のサービスデバイス機能モジュールが、アプリケーションシステムが携帯デバイスにダウンロードされたかを自動的に判断し、
ステップ (B)：アプリシステムがユーザの携帯デバイスにダウンロードされている場合、1つ以上のサービスデバイス機能モジュールが特定エリアのメッセージをユーザに送信し、その後、ユーザは携帯デバイス上のシステムで利用可能なサービスや機能を操作し、
ステップ （C）：1つ以上のサービスデバイス機能モジュールは、アプリシステムが当該デバイスにダウンロードされていないと判断すると、各携帯デバイスは次のようなダウンロード方法を2つ提供する：1) 携帯デバイス上のA/Iポイントを表示することで、各携帯デバイスがAシステムを使用している場合、AシステムのA/Iポイントが表示され、各携帯デバイスがIシステムを使用している場合、IシステムのA/Iポイントが表示され、ダウンロード指示が与えられた後、APPシステムがインターネットを投資でダウンロードし、これにより該システムが提供する機能やサービスメッセージの内容を知ることを可能とし、一方、ユーザがAPPシステムをダウンロードすることに同意しない時は各携帯デバイスは自動的にダウンロードプロセスを飛ばすことで、ユーザは該システムが提供する機能の内容やサービスメッセージの内容を知ることが不可能とされ、2) QR（クイックレスポンス）コードスキャンの適用し、人々に特定エリアでマークされているQRコード（登録商標）を使用してAPPシステムをスキャン、ダウンロードさせ、これにより、ユーザは、該システムが提供する機能やサービスメッセージの内容を知ることが可能とされ、ユーザがAPPシステムをダウンロードすることに同意しない時、QRコード（登録商標）スキャンが行われないことで、ユーザは、該システムが提供する機能の内容やサービスメッセージの内容を知ることが可能とされ、
ステップ (D)：ユーザが特定エリアに入ると、ユーザの携帯デバイス信号は1つ以上のサービスデバイス機能モジュールと接続され、処理デバイス機能モジュールが処理と計算を行い、その後、1つ以上のサービスデバイス機能モジュールが、システムコードを用いて現時地のメッセージや言語で特定エリアの機能とメッセージをユーザに送信し、
ステップ (E)：特定エリアで準備された1つ以上のサービスデバイス機能モジュール数は特定エリアの場所により異なるものとし、同じ場所にある複数のサービスデバイス機能モジュールが同一ユーザに異なるメッセージを送信しないよう、サービスデバイス機能モジュールの数は、1人のユーザに1度に1つのメッセージしか送れないようにする制限が掛けられており、ユーザが複数のサービスデバイス機能モジュールの1つの場所を繰り返し通過する場合、複数のサービスデバイス機能モジュールは、同じエリアにある複数のサービスデバイス機能モジュールの同一場所でユーザが繰り返し2つ以上のメッセージを受信しないように、自動的に判断と確認を行い，
ステップ  (F)：ユーザが特定エリアに入ると、1つ以上のサービスデバイス機能モジュールが当該エリアに関連したメッセージをユーザの携帯デバイスに送信し、現在地が自動的にエリアマップにマークされ、ユーザが現在地マップの現在地とメッセージ（通知）が分かるようにユーザの携帯デバイスの電話インターフェースが当該エリアのエリアマップとメッセージ（通知）を表示し、
ステップ  (G)：ユーザが特定エリアを離れるときは、1つ以上のサービスデバイス機能モジュールがユーザの携帯デバイスの電話インターフェースのメッセージ表示エリアに特定エリアの交通情報を表示することを特徴とする特定エリアでインスタントメッセージや現在地情報を通知するための方法。
【請求項３】
請求項２に記載された特定エリアでインスタントメッセージや現在地情報を通知するための方法において、ステップ（A）に記載したように、1つ以上のデバイスサービス機能モジュールが携帯デバイスを検知し、ユーザがアプリシステムをダウンロードするか、またはWiFi機能を自動設定した場合、携帯デバイスのWiFi機能が検知されることを特徴とする特定エリアでインスタントメッセージや現在地情報を通知するための方法。
【請求項４】
請求項２に記載された特定エリアでインスタントメッセージや現在地情報を通知するための方法において、空港において、空港に関連したメッセージがユーザに送られ、景勝地において景勝地に関連したメッセージがユーザに送られ、デパートにおいてデパートに関連したメッセージがユーザに転送され、コンビニエンスストアにおいてコンビニエンスストアに関連したメッセージがユーザに転送されることを特徴とする特定エリアでインスタントメッセージや現在地情報を通知するための方法。
【請求項５】
請求項２に記載された特定エリアでインスタントメッセージや現在地情報を通知するための方法において、ステップ(E)に記載されたように、同じ場所にある複数のサービスデバイス機能モジュールが同一ユーザに重複して同じメッセージを送らないよう、複数のサービスデバイス機能モジュールは1人のユーザに1度に1つのメッセージしか送らないことを特徴とする特定エリアでインスタントメッセージや現在地情報を通知するための方法。
【請求項６】
請求項２に記載された特定エリアでインスタントメッセージや現在地情報を通知するための方法において、ステップ(F)に記載されたように、携帯インターフェースは全情報キー、詳細情報キー、平面図表示キーの3つの機能キーを搭載し、ユーザは、全情報か、一つのメッセージによる詳細情報か、特定地域の平面図表かを選択し、お気に入りファイルに希望する情報を追加して、携帯電話がオフラインのときにも当該情報を見ることを可能とすることを特徴とする特定エリアでインスタントメッセージや現在地情報を通知するための方法。
【請求項７】
請求項２に記載された特定エリアでインスタントメッセージや現在地情報を通知するための方法において、特定エリアにおいて当該エリアにおけるメッセージサービスと機能を受信した後にユーザがリマインダータイマーを予約する場合には、携帯インターフェースの機能キーエリア上にある設定キーが押され、入力ボックスが表示され、ユーザは、リマインダーメッセージを入力し、時間になると、1つ以上のサービスデバイス機能モジュールが音とアラームメッセージを携帯デバイスに送信しユーザに通知することを特徴とする特定エリアでインスタントメッセージや現在地情報を通知するための方法。
【請求項８】
請求項２に記載された特定エリアでインスタントメッセージや現在地情報を通知するための方法において、ステップ(F)に記載されたように、ユーザが全ての最新メッセージをアップデートしたい場合、アップデートキーが押されることで全ての最新メッセージをアップデートすることができ、ユーザが大量のメッセージを受け取らない場合は、受信拒否キーを押すことで携帯デバイスは1つ以上のサービスデバイス機能モジュールから送られるメッセージの受信を中止し、ユーザが再度受信拒否キーを押すと、携帯デバイスは、1つ以上のサービスデバイス機能モジュールから送られるメッセージを受信することを特徴とする特定エリアでインスタントメッセージや現在地情報を通知するための方法。
【請求項９】
請求項２に記載された特定エリアでインスタントメッセージや現在地情報を通知するための方法において、ステップ(F)に記載されたように、特定地域に関連するメッセージがユーザの携帯デバイスに送出される際、ユーザがテキストモードで1つ以上のサービスデバイス機能モジュールから送られるメッセージを受信しない場合は、携帯インターフェースの機能キーエリア上の音声キーかオーディオキーが押されることにより、メッセージは音声キーモードかオーディオモードで受信され、マルチモード表示となることを特徴とする特定エリアでインスタントメッセージや現在地情報を通知するための方法。
【請求項１０】
請求項２に記載された特定エリアでインスタントメッセージや現在地情報を通知するための方法において、ステップ(F)に記載されたように、1つ以上のサービスデバイス機能モジュールの処理デバイス機能モジュールが、当該ユーザがグループメンバーの一員であると自動的に判断した場合、処理デバイス機能モジュールの動的グループ管理デバイス機能は、1つ以上のサービスデバイス機能モジュールのWiFiデバイスを使用してメッセージを送り、グループメンバーの位置がステップ(F)のエリアマップ上に表示され、マネージャ、グループメンバー、ユーザの位置がエリアマップに色別にマークされることを特徴とする特定エリアでインスタントメッセージや現在地情報を通知するための方法。
【請求項１１】
請求項２に記載された特定エリアでインスタントメッセージや現在地情報を通知するための方法において、ユーザがグループメンバーのうち誰かと連絡を取る場合、エリアマップの1つの位置マークを押せば、電話インターフェースがエリアマップの1つの位置マークの横に通知入力ボックスを自動的に表示することで、ユーザはメッセージを入力後送信し、メッセージは1つ以上のサービスデバイス機能モジュールのWiFi デバイスにより空港で送信され、無料で他のグループメンバーとのやり取りが可能になることを特徴とする特定エリアでインスタントメッセージや現在地情報を通知するための方法。
【請求項１２】
請求項２に記載された特定エリアでインスタントメッセージや現在地情報を通知するための方法において、1つ以上のサービスデバイス機能モジュールの処理デバイス機能モジュールが、当該ユーザがグループメンバーの一員であるかを自動的に判断する際、承認済みグループマネージャはバックサイトデバイス機能モジュールを使ってメンバー名と電話番号を入力し、入力されたメンバー名と電話番号は1つ以上のサービスデバイス機能モジュールとインターネットに送信されて、 各グループメンバーは一連の認証コードを受信することを特徴とする特定エリアでインスタントメッセージや現在地情報を通知するための方法。
【請求項１３】
請求項２に記載された特定エリアでインスタントメッセージや現在地情報を通知するための方法において、ステップ(G)のように、メッセージの内容とメッセージ表示エリアの種類は、利用条件に基づいて、バックサイトデバイス機能モジュールに入力されることを特徴とする特定エリアでインスタントメッセージや現在地情報を通知するための方法。
【発明の詳細な説明】
【技術分野】
【０００１】
本発明は特定エリアでインスタントや現在地情報を積極的に通知するためのシステムとその方法に関連している。より具体的には、特定エリアであらゆるメッセージや現在地情報を通知するシステムや方法を通して、ユーザが最新情報の内容を理解し、グループメンバーとのやり取りを可能にするものである。
【背景技術】
【０００２】
従来、人々は特定エリア（空港、景勝地、デパート、コンビニエンスストア等）に行き、または買い物を楽しむが、これらエリアを隅々まで知り尽くしたり、場合によっては言語に精通しているわけではない。これらエリアでは、様々なツールを使用するユーザに WiFi （ワイヤレス・フィディリティ)接続や設置型コンピューター・オペレーション・プラットフォームを無料で提供しているが、WiFi を用いて携帯デバイスを操作するには、WiFi を無料で利用するために入手したキーパスワードを始め、いくつかの情報を自身の携帯デバイスに入力しなければならない。これらの作業の後に、ユーザはWiFi から携帯デバイスを用いて希望するメッセージを受け取ることができるが、携帯デバイスの使用にあたり、メッセージがユーザの知らない言語で表示されている場合、この携帯デバイスを操作することはできない。
【０００３】
また、ユーザが設置型コンピューター・オペレーティング・プラットフォームから特定エリアのメッセージを受け取りたい場合、まず設置型コンピューター・オペレーティング・プラットフォームを探さなければならず不便である。仮にユーザが設置型コンピューター・オペレーティング・プラットフォームを見つけたとしても、知らない言語で表示されていれば利用することはできない。したがって、ユーザは特定エリアの固定メッセージは閲覧するものの、インスタントメッセージを得たり、自身の現在地を確認することはできない。さらに、個人ユーザやグループメンバーが慣れていない場所にいる場合、次のような問題が生じる。
１．ユーザがすべての言語に精通することはできないため、特定エリアでの個人への負担やコストが増える。
２．ユーザが慣れていないエリアにいる場合、迷子になる可能性がある。
３．ユーザは特定エリアでインスタントメッセージの内容を知り、またはメッセージを受けることができない。
４．ユーザは特定エリアでインスタントメッセージの内容を知ることやメッセージを受けることができないため利用権を行使できない。
５．グループメンバーが特定エリアにいる場合、各メンバーは他のメンバーの現在位置や現在の状況が分からない。
６．グループメンバーが特定エリアにおり、互いにやり取りができない状態でいる場合、彼らは電話を使ってコミュニケーションをとる必要があり、これによる電話料金や国際ローミング料金が高くつく。
【０００４】
本発明は、上述の問題を軽減し、または未然に防ぐことを目的として提案された。 
【発明の概要】
【発明が解決しようとする課題】
【０００５】
本発明の主要目的は、特定エリアで積極的にインスタントメッセージや現在地情報を送るためのシステムと特定エリアにいる個人ユーザまたはグループメンバーが情報内容を理解するための方法を提供することである。
【０００６】
第二の目的は、特定エリアにいる個人ユーザ又はグループメンバーがマップの読み方や現在位置を把握するため、特定エリアでインスタントメッセージや現在地を積極的に通知するためのシステムやそのための方法を提供することである。
【０００７】
第三の目的は、特定エリアにいるユーザがマップ上でグループメンバーの現在地を確認し、彼らとやり取りするため、特定エリアでインスタントメッセージや現在地を積極的に通知するためのシステムやそのための方法を提供することである。
【課題を解決するための手段】
【０００８】
上述の目標を実現するため、本発明を用いた、特定エリアでインスタントメッセージと現在地情報を積極的に通知するためのシステムには次の機能が搭載されている： 
バックサイトデバイス機能モジュールから入力され、1つ以上のサービスデバイス機能モジュールにある処理デバイス機能モジュールに転送されたメッセージや機能を判断するために使用される制御デバイス機能モジュール。同制御デバイス機能モジュールは、1つ以上のサービスデバイス機能モジュールの機能やメッセージが処理され、1つ以上のサービスデバイス機能モジュールのWiFi （ワイヤレス・フィディリティ）デバイスを経由して携帯デバイスに転送されたかを判断するためにコントラクトの使用が有効であるかを見極めるものである。
【０００９】
バックサイトデバイス機能モジュール。これは1つ以上のサービスデバイス機能モジュールの処理デバイス機能モジュールのメッセージを選択し、制御するために適用され、その後、制御デバイス機能モジュールは、処理デバイス機能モジュールのメッセージがユーザに転送されたかを判断するためにコントラクトの使用が有効であるかを見極める。
【００１０】
1つ以上のサービスデバイス機能モジュール。これは、バックサイトデバイス機能モジュールからユーザの携帯デバイスにメッセージを転送するためのものである。この1つ以上のサービスデバイス機能モジュールにはWiFi デバイスや処理デバイス機能モジュールが含まれている。この1つ以上のサービスデバイス機能モジュール内で、処理デバイス機能モジュールはテキストデバイスモジュール、音声デバイスモジュール、イラストレーテットデバイスモジュール、オーディオビジュアルデバイス、記録保管モジュール、場所情報記録デバイスモジュール、多言語モジュール、動的グループ管理デバイスモジュールを持つ。また、WiFi デバイスは携帯デバイスから転送されたメッセージと内部コードに基づき処理デバイス機能モジュールのメッセージを計算するために使用され、これにより、特定エリアで、ユーザの話す言語でメッセージや現在地情報をユーザに通知したり、機能が利用できるようになっている。
【００１１】
ユーザが特定エリアにいるとき、ユーザの携帯デバイスは現在地情報、言語使用システムコード、グループ特定コードを1つ以上のサービスデバイス機能モジュールに転送するように準備される。その後、言語のメッセージは、1つ以上のサービス デバイス機能モジュールの処理デバイス機能モジュールによって処理され、ユーザの携帯デバイスに WiFi デバイスから送信される。さらに、ユーザの携帯デバイスは1つ以上のサービスデバイス機能モジュールから言語メッセージおよび言語機能を受信し、1つ以上のサービスデバイス機能モジュールはユーザのグループタイプを判断し、これに基づき、ユーザの携帯デバイスのマップ上にグループメンバーの現在地情報を表示する。これにより、ユーザとそのグループメンバーは1つ以上のサービスデバイス機能モジュールを無料で使用することにより、互いにメッセージ通信を送信し、グループメンバー間でコミュニケーションを取ることが可能となる。 
また、特定エリアでインスタントメッセージや現在地情報を積極的に通知するための方法ドでは、次のようなステップを経ることになる：
ステップ (A) ：携帯デバイスを特定エリアに持ち込む際、当該エリアにある1つ以上のサービスデバイス機能モジュールが携帯デバイスを検出し、当該デバイスにあいさつ文を送信し、その後、1つ以上のサービスデバイス機能モジュールがアプリ（アプリケーション）システムが携帯デバイスにダウンロードされたかを自動的に判断する。
【００１２】
ステップ (B)：アプリシステムがユーザの携帯デバイスにダウンロードされている場合、1つ以上のサービスデバイス機能モジュールが特定エリアのメッセージをユーザに送信し、その後、ユーザは携帯デバイス上のシステムで利用可能なサービスや機能を操作する。
【００１３】
ステップ（C）：1つ以上のサービスデバイス機能モジュールがアプリシステムが当該デバイスにダウンロードされていないと判断すると、各携帯デバイスは次のようなダウンロード方法を2つ提供する：1) 携帯デバイス上のA/Iポイントを表示。つまり、各携帯デバイスがAシステムを使用している場合、AシステムのA/Iポイントが表示され、各携帯デバイスがIシステムを使用している場合、IシステムのA/Iポイントが表示され、ダウンロード指示が与えられた後、APPシステムがインターネットを通してダウンロードされ、これにより本発明のシステムが提供する機能やメッセージの内容を知ることができる。一方、ユーザがAPPシステムをダウンロードすることに同意しなければ、各携帯デバイスは自動的にダウンロードプロセスを飛ばしてしまうため、ユーザは本発明のシステムが提供する機能の内容やメッセージの内容を知ることができない。2) QR（クイックレスポンス）コードスキャンの適用。つまり、人々は特定エリアでマークされているQRコード（登録商標）を使用してAPPシステムをスキャン、ダウンロードする。これにより、ユーザは本発明のシステムが提供する機能やメッセージの内容を知ることができる。但し、ユーザがAPPシステムをダウンロードすることに同意しなければ、QRコード（登録商標）スキャンが行われないため、ユーザは本発明のシステムが提供する機能の内容やメッセージの内容を知ることができない。
【００１４】
ステップ (D)：ユーザが特定エリアに入ると、ユーザの携帯デバイス信号は1つ以上のサービスデバイス機能モジュールと接続され、処理デバイス機能モジュールが処理と計算を行い、その後、1つ以上のサービスデバイス機能モジュールが、システムコードを用いて現時地のメッセージや言語で特定エリアの機能とメッセージをユーザに送信する。
【００１５】
ステップ (E)：特定エリアで準備された1つ以上のサービスデバイス機能モジュール数は特定エリアの場所により異なる。同じ場所にある複数のサービスデバイス機能モジュールが同一ユーザに異なるメッセージを送信しないよう、サービスデバイス機能モジュールの数は1人のユーザに1度に1つのメッセージしか送れないようにする等の制限が掛けられており、ユーザが複数のサービスデバイス機能モジュールの1つの場所を繰り返し通過する場合、複数のサービスデバイス機能モジュールは、同じエリアにある複数のサービスデバイス機能モジュールの同一位置でユーザが繰り返し2つ以上のメッセージを受信しないように、自動的に判断と確認を行う。
【００１６】
ステップ  (F)：ユーザが特定エリアに入ると、1つ以上のサービスデバイス機能モジュールが当該エリアに関連したメッセージをユーザの携帯デバイスに送信し、現在地が自動的にエリアマップにマークされ、ユーザが現在地マップの現在地とメッセージ（通知）が分かるようにユーザの携帯デバイスの電話インターフェースが当該エリアのエリアマップとメッセージ（通知）を表示する。
【００１７】
ステップ  (G)：ユーザが特定エリアを離れるときは、1つ以上のサービスデバイス機能モジュールがユーザの携帯デバイスの電話インターフェースのメッセージ表示エリアに特定エリアの交通情報を表示する。
【図面の簡単な説明】
【００１８】
【図１】上述の目標を実現するため、本発明を用いた、特定エリアでインスタントメッセージと現在地情報を積極的に通知するためのシステムとその方法を示した図である。
【図２】上述の目標を実現するため、本発明を用いた、特定エリアでインスタントメッセージと現在地情報を積極的に通知するためのシステムの構造とその方法を示した図である。
【図３】上述の目標を実現するため、本発明を用いた、特定エリアでインスタントメッセージと現在地情報を積極的に通知するためのシステムのオペレーションとその方法を示したフローチャートである。
【図４】上述の目標を実現するため、本発明を用いた、特定エリアでインスタントメッセージと現在地情報を積極的に通知するためのシステムのオペレーションとその方法を示した図である。
【図５Ａ】上述の目標を実現するため、本発明を用いた、特定エリアでインスタントメッセージと現在地情報を積極的に通知するためのシステムのオペレーションとその方法を示した図である。
【図５Ｂ】上述の目標を実現するため、本発明を用いた、特定エリアでインスタントメッセージと現在地情報を積極的に通知するためのシステムのオペレーションとその方法を示したもう1つの図である。
【図６Ａ】上述の目標を実現するため、本発明を用いた、空港でインスタントメッセージと現在地情報を積極的に通知するためのシステムのオペレーションとその方法を示したもう一連の図である。
【図６Ｂ】上述の目標を実現するため、本発明を用いた、空港でインスタントメッセージと現在地情報を積極的に通知するためのシステムのオペレーションとその方法を示したもう一連の図である。
【図６Ｃ】上述の目標を実現するため、本発明を用いた、空港でインスタントメッセージと現在地情報を積極的に通知するためのシステムのオペレーションとその方法を示したもう一連の図である。
【図６Ｄ】上述の目標を実現するため、本発明を用いた、空港でインスタントメッセージと現在地情報を積極的に通知するためのシステムのオペレーションとその方法を示したもう一連の図である。
【図６Ｅ】上述の目標を実現するため、本発明を用いた、空港でインスタントメッセージと現在地情報を積極的に通知するためのシステムのオペレーションとその方法を示したもう一連の図である。
【図７】上述の目標を実現するため、本発明を用いた、空港を離れる際のインスタントメッセージと現在地情報を積極的に通知するためのシステムのオペレーションとその方法を示した図である。
【図８】上述の目標を実現するため、本発明を用いた、特定エリアでインスタントメッセージと現在地情報を積極的に通知するためのシステムのオペレーションとその方法を示したフローチャートである。
【図９】上述の目標を実現するため、本発明を用いた、空港でインスタントメッセージと現在地情報を積極的に通知するためのシステムのオペレーションとその方法を示したもう1つの図である。
【図１０】上述の目標を実現するため、本発明を用いた、空港でインスタントメッセージと現在地情報を積極的に通知するためのシステムのオペレーションとその方法を示した図である。
【図１１】上述の目標を実現するため、本発明を用いた、景勝地でインスタントメッセージと現在地情報を積極的に通知するためのシステムのオペレーションとその方法を示した図である。
【図１２Ａ】上述の目標を実現するため、本発明を用いた、景勝地でインスタントメッセージと現在地情報を積極的に通知するためのシステムのオペレーションとその方法を示したもう一連の図である。
【図１２Ｂ】上述の目標を実現するため、本発明を用いた、景勝地でインスタントメッセージと現在地情報を積極的に通知するためのシステムのオペレーションとその方法を示したもう一連の図である。
【図１２Ｃ】上述の目標を実現するため、本発明を用いた、景勝地でインスタントメッセージと現在地情報を積極的に通知するためのシステムのオペレーションとその方法を示したもう一連の図である。
【図１２Ｄ】上述の目標を実現するため、本発明を用いた、景勝地でインスタントメッセージと現在地情報を積極的に通知するためのシステムのオペレーションとその方法を示したもう一連の図である。
【図１３】上述の目標を実現するため、本発明を用いた、景勝地でインスタントメッセージと現在地情報を積極的に通知するためのシステムのオペレーションとその方法を示した図である。
【図１４】上述の目標を実現するため、本発明を用いた、景勝地でインスタントメッセージと現在地情報を積極的に通知するためのシステムのオペレーションとその方法を示したもう1つの図である。
【図１５】上述の目標を実現するため、本発明を用いた、デパートでインスタントメッセージと現在地情報を積極的に通知するためのシステムのオペレーションとその方法を示した図である。
【図１６Ａ】上述の目標を実現するため、本発明を用いた、デパートでインスタントメッセージと現在地情報を積極的に通知するためのシステムのオペレーションとその方法を示したもう一連の図である。
【図１６Ｂ】上述の目標を実現するため、本発明を用いた、デパートでインスタントメッセージと現在地情報を積極的に通知するためのシステムのオペレーションとその方法を示したもう一連の図である。
【図１６Ｃ】上述の目標を実現するため、本発明を用いた、デパートでインスタントメッセージと現在地情報を積極的に通知するためのシステムのオペレーションとその方法を示したもう一連の図である。
【図１６Ｄ】上述の目標を実現するため、本発明を用いた、デパートでインスタントメッセージと現在地情報を積極的に通知するためのシステムのオペレーションとその方法を示したもう一連の図である。
【図１７】上述の目標を実現するため、本発明を用いた、コンビニエンスストアでインスタントメッセージと現在地情報を積極的に通知するためのシステムのオペレーションとその方法を示した図である。
【図１８】上述の目標を実現するため、本発明を用いた、コンビニエンスストアでインスタントメッセージと現在地情報を積極的に通知するためのシステムのオペレーションとその方法を示した図である。
【発明を実施するための形態】
【００１９】
本発明を用いた具体例を示した説明の目的のみで添付した図を見ながら説明文を読み込むことで、本発明はより明確になるだろう。
【００２０】
図1は、上述の目標を実現するため、本発明を用いた、特定エリアでインスタントメッセージと現在地情報を積極的に通知するためのシステムを示した図である。本発明を搭載したシステムは、制御デバイス機能モジュール 1、バックサイト デバイス機能モジュール 2、1つ以上のサービスデバイス機能モジュール 3、ユーザ携帯デバイス 5で構成されている。図2は、上述の目標を実現するため、本発明を用いた、特定エリアでインスタントメッセージと現在地情報を積極的に通知するためのシステムの構造を示した図である。制御デバイス機能モジュール1はバックサイトデバイス機能モジュール2から入力され、1つ以上のサービスデバイス機能モジュール3にある処理デバイス機能モジュール302に転送されたメッセージや機能を判断するために使用される。同制御デバイス機能モジュール1は、1つ以上のサービスデバイス機能モジュール3の機能やメッセージが処理され、1つ以上のサービスデバイス機能モジュール3のWiFi （ワイヤレス・フィディリティ）デバイス301を経由して携帯デバイス5に転送されたかを判断するためにコントラクトの使用が有効であるかを見極めるものである。
【００２１】
バックサイトデバイス機能モジュール2は1つ以上のサービスデバイス機能モジュール3の処理デバイス機能モジュール302のメッセージを選択し、制御するために適用され、その後、制御デバイス機能モジュール1は、処理デバイス機能モジュール302のメッセージがユーザに転送されたかを判断するためにコントラクトの使用が有効であるかを見極める。
【００２２】
1つ以上のサービスデバイス機能モジュール3はバックサイトデバイス機能モジュール2からユーザの携帯デバイス5にメッセージを送信するために利用される。1つ以上のサービスデバイス機能モジュール3にはWiFi デバイス301や処理デバイス機能モジュール302が含まれている。この1つ以上のサービスデバイス機能モジュール内で、処理デバイス機能モジュール302はテキストデバイスモジュール、音声デバイスモジュール、イラストレーテットデバイスモジュール、オーディオビジュアルデバイス、記録保管モジュール、場所情報記録デバイスモジュール、多言語モジュール、動的グループ管理デバイスモジュールを持つ。また、WiFi デバイス301は携帯デバイス5から転送されたメッセージと内部コードに基づき処理デバイス機能モジュール302のメッセージを計算するために使用され、これにより、特定エリアで、ユーザの話す言語でメッセージや現在地情報をユーザに通知したり、機能が利用できるようになっている。
【００２３】
ユーザが特定エリアにいるとき、ユーザの携帯デバイス5は携帯デバイス5の現在地情報501、言語使用システムコード502、グループ特定コード503を1つ以上のサービスデバイス機能モジュール3に転送するように準備される。その後、言語のメッセージは、1つ以上のサービス デバイス機能モジュール3の処理デバイス機能モジュール302によって処理され、ユーザの携帯デバイス5に WiFi デバイス301から送信される。さらに、ユーザの携帯デバイス5は1つ以上のサービスデバイス機能モジュール3から言語メッセージおよび言語機能を受信し、1つ以上のサービスデバイス機能モジュールはユーザのグループタイプを判断する。ユーザが特定グループメンバーの1人で、1つ以上のサービスデバイス機能モジュール3が特定グループメンバーの動的メッセージ4を選択的にユーザの携帯デバイス5に送信することにより、ユーザの携帯デバイス5のマップ上にグループメンバーの現在地情報を表示する。これにより、ユーザとそのグループメンバーは1つ以上のサービスデバイス機能モジュール3を無料で使用することにより、互いにメッセージ通信を送信し、グループメンバー間でコミュニケーションを取ることが可能となる。
【００２４】
図1−3を参照いただきたい。本発明のシステムが空港で使用されると、本発明の方法では次のステップを行う。
【００２５】
共通携帯デバイスを特定エリアに持ち込む際、当該エリアにある1つ以上のサービスデバイス機能モジュール3が携帯デバイスを検出し（アプリ（アプリケーション）システムをダウンロードするか、WiFi機能を自動設定した後、ユーザの携帯デバイスが、当該デバイスを検出するため）あいさつ文を当該共通携帯デバイスに送信し、その後、1つ以上のサービスデバイス機能モジュール3がアプリ（アプリケーション）システムが当該共通携帯デバイスにダウンロードされたかを自動的に判断する。アプリシステムがユーザの携帯デバイスにダウンロードされている場合、1つ以上のサービスデバイス機能モジュール3が、ユーザの携帯デバイス5のシステムコード502を使う言語を使用して特定エリアのメッセージをユーザに送信し、その後、ユーザは携帯デバイス5上で本発明のシステムで利用可能なサービスや機能を操作する。1つ以上のサービスデバイス機能モジュール3がアプリシステムが当該共通携帯デバイスにダウンロードされていないと判断すると、各共通携帯デバイスは次のようなダウンロード方法を2つ提供する：1) 共通携帯デバイス上のA/Iポイントを表示。つまり、各共通携帯デバイスがAシステムを使用している場合、AシステムのA/Iポイントが表示され、各共通携帯デバイスがIシステムを使用している場合、IシステムのA/Iポイントが表示され、ダウンロード指示が与えられた後、APPシステムがインターネットを通してダウンロードされ、これにより本発明のシステムが提供する機能やメッセージの内容を知ることができる。一方、ユーザがAPPシステムをダウンロードすることに同意しなければ、各共通携帯デバイスは自動的にダウンロードプロセスを飛ばしてしまうため、ユーザは本発明のシステムが提供する機能の内容やメッセージの内容を知ることができない。2) QR（クイックレスポンス）コードスキャンの適用。つまり、人々は特定エリアでマークされているQRコード（登録商標）を使用してAPPシステムをスキャン、ダウンロードする。これにより、ユーザは本発明のシステムが提供する機能やメッセージの内容を知ることができる。但し、ユーザがAPPシステムをダウンロードすることに同意しなければ、QRコード（登録商標）スキャンが行われないため、ユーザは本発明のシステムが提供する機能の内容やメッセージの内容を知ることができない。
【００２６】
さらに、図2と4を参照いただきたい。ユーザが特定エリアに入ると、ユーザの携帯デバイス信号5は1つ以上のサービスデバイス機能モジュール3と接続され、ユーザの携帯デバイス5は携帯デバイス5の現在地情報501、言語使用システムコード502、グループ特定コード503を1つ以上のサービスデバイス機能モジュール3に転送し、WiFi デバイス301は現在地情報501、言語使用システムコード502、グループ特定コード503を受信し、これを処理デバイス機能モジュール302でさらに計算、処理するために送信し、その後、1つ以上のサービスデバイス機能モジュール3が、現在地情報501と言語使用システムコード502に従い共通言語で表示されるメッセージと機能内容をユーザに送信する。これにより、現在地情報501がユーザが空港にいると表示するとき（図4)、1つ以上のサービスデバイス機能モジュール3が、自動的にユーザに空港のメッセージ（ユーザが空港にいる確認メッセージ、音声ガイド、最新の表示メッセージ、より詳細な通知、お土産セール情報、休憩所情報等）を送信する。図5Aおよび5Bで説明されるとおり、空港内に配置されている1つ以上のサービスデバイス機能モジュール3の数は空港のエリアにより異なり、この1つ以上のサービスデバイス機能モジュール3はバックサイトデバイス機能モジュール2からレンター（企業201、店舗202、個人203等）が入力したメッセージを受信し、これにより、この1つ以上のサービスデバイス機能モジュール3は同じメッセージを受信する。空港の同じ場所にある複数のサービスデバイス機能モジュール3が同一ユーザに異なるメッセージを送信しないよう、サービスデバイス機能モジュール3の数は1人のユーザに1度に1つのメッセージしか送れないようにするよう制限が掛けられており、これらの場所を通過するユーザの携帯デバイス5を1つ以上のデバイス機能モジュール３が自動的に判断し、ユーザの携帯デバイス5がA1の位置にある1つ以上のデバイス機能モジュール3を通過する際に、この携帯デバイス5が同じメッセージを受信済みかを確認するために、WiFi デバイス301が信号を送信し判断する。まだ送信されていない場合は、1つ以上のサービス デバイス機能モジュール3の処理デバイス機能モジュール302が当該メッセージをA1の位置にあるユーザの携帯デバイス5に送信する。ユーザの携帯デバイス5がA１の位置の 1つ以上のデバイス機能モジュール 3 を通過するとき、既に同じメッセージを受信済みである場合は、この1つ以上のサービスデバイス機能モジュール3の処理デバイス機能モジュール302は当該ユーザ携帯デバイス5に同じメッセージは送信しない。つまり、ユーザが同じ場所にあるA1位置からA99位置の複数のサービスデバイス機能モジュール3を通過する場合、このユーザの携帯デバイス5はこれらサービスデバイス機能モジュール3から1回しかメッセージを受信しないのである。つまり、ユーザの携帯デバイスは同じ場所でA1からA99の位置まで同じメッセージを受信し続けることはない。
【００２７】
さらに、図16を参照いただきたい。ユーザが空港等の特定エリアに入るとき、1つ以上のサービスデバイス機能モジュール3が空港関連メッセージをユーザの携帯デバイス5に送信し、このユーザの形態デバイス5の電話インターフェース6がメッセージアラート11やエリアマップ7、そして当該空港に関するお知らせ8を表示する。また、現在地情報9が自動的に空港のエリアマップ7上に表示されるため、ユーザはエリアマップ9における現在地7と空港のお知らせ8を理解することができる。電話インターフェース6には3つのファンクションキー（全情報キー12、詳細情報キー13、平面図表示キー14）があるため、ユーザが電話インターフェース6の全情報キー12を押すと、電話インターフェース6のお知らせ8が各メッセージのコンテンツ15を表示する。図６B で説明されるとおり、ユーザは詳細な情報を電話のお気に入りファイルに保存する。つまり、ユーザは電話インターフェース6のファンクションキーエリア20のお気に入りキー2003を押す。ユーザが電話インターフェース6の詳細情報キー13を押すと、お知らせ8にある各メッセージの情報コンテンツ7が表示される。図6C はお気に入りファイルに保存された各メッセージの情報コンテンツ17を表示している。ここで、ユーザは電話インターフェース6のファンクションキーエリア20のお気に入りキー2003を押し、お気に入りファイルにある各メッセージの情報コンテンツ17を保存する。ユーザが電話インターフェース6の平面図表示キー14を押すと、電話インターフェース6は空港のエリアマップ7のみを表示する。図6Dで説明されるとおり、ユーザが空港に入った場所である元の位置10とユーザが目指す場所である指定位置1001は、エリアマップ7上に自動的に表示されるので、ユーザは空港内での方向と位置をはっきりと知るができるので迷子にならない。
【００２８】
図6Eと7を参照いただきたい。ユーザが空港を離れるとき（例えば図6Eの位置1001）、１つ以上のサービスデバイス機能モジュール3は空港の交通情報22（図7に例示）を、ユーザの携帯デバイス5の携帯インターフェース6上のメッセージ表示エリア21に表示する。そこで、利用条件に基づいて、メッセージ内容とメッセージ表示エリア21の種類がバックサイトでバイス機能モジュール2に入力される。
【００２９】
さらに、図6Aを参照いただきたい。空港でユーザがリマインダータイマーを予約したい場合には、入力ボックス（ここでは表示無し）を表示するため、携帯インターフェース6における機能キーエリア20の設定キー2004を押す。するとユーザは、例えば3時に23番搭乗口、などのリマインダーメッセージを入力できる。時間になると、1つ以上のサービスデバイス機能モジュール3が音とアラームメッセージ（ここでは表示無し）をユーザの携帯デバイス5に送信して注意を促す。
【００３０】
図６Aで説明されるとおり、空港に入った際に全ての最新メッセージをアップデートしたい場合、ユーザはアップデートキー19を押す。大量のメッセージを受信したくない場合は、受信拒否キー18を押すことにより、携帯デバイス5は1つ以上のサービスデバイス機能モジュール3から転送されるメッセージの受信を中止する。ユーザが再び受信拒否キー18を押すと、携帯デバイス5は少なくとも1つ以上のサービスデバイス機能モジュール3から転送されるメッセージを受信する。
【００３１】
図6Aを参照いただきたい。1つ以上のサービスデバイス機能モジュール3から転送されるメッセージをテキストモードでユーザが受信したくない場合、電話インターフェース6の機能キーエリア20の音声キー2002またはオーディオキー2001を押す。するとテストモードから音声キーモードからオーディオモードに切り替わり、メッセージは音声キーモードかオーディオモードで受信され、マルチモード表示となる。
【００３２】
図2と8を参照いただきたい。ユーザがグループメンバーの一員であれば、承認済みグループマネージャはバックサイトデバイス機能モジュール2を使ってメンバー名と電話番号を入力し、入力されたメンバー名と電話番号は1つ以上のサービスデバイス機能モジュール3とインターネットに送信されるため、 
各グループメンバーは一連の認証コードを受信する。したがって、ユーザが空港に入ると、ユーザの携帯デバイス5は空港からメッセージを受信し、自動的にグループ認証コード503を1つ以上のサービスデバイス機能モジュール3に送信する。その後、1つ以上のサービス デバイス機能モジュール3の処理デバイス機能モジュール302が、当該ユーザがグループメンバーの一員であるかを自動的に判断する。その場合、処理デバイス機能モジュール 302 の動的グループ管理デバイスは、1つ以上のサービスデバイス機能モジュール3のWiFi デバイス30を使ってメッセージを送信するので、グループメンバーがいる位置がデパートのエリアマップ7上に表示される。図9で説明されるとおり、ユーザがグループメンバーの一員であり、電話インターフェース6の平面図表示キー14を押すと、1つ以上のサービスデバイス機能モジュール3が特定グループメンバーの動的メッセージ4を当該ユーザの携帯デバイス5に選択的に送信する。すなわち、図6Dの電話インターフェース6の個人の現在地が図9のグループ現在地に変わり、マネージャの位置23、グループメンバーの位置24、ユーザの位置9が色別でエリアマップ7上に表示される。これにより、ユーザはすべてのグループメンバーがどこにいるかをはっきり知ることができる。また、ユーザがグループメンバーのうち誰かと連絡を取りたい場合、エリアマップ7の1つの位置マークを押せば、電話インターフェース6がエリアマップ7の1つの位置マークの横に通知入力ボックス25（図10参照）を自動的に表示するので、ユーザはメッセージを入力後送信する。その後、メッセージは1つ以上のサービスデバイス機能モジュール3のWiFi デバイス301により空港で送信され、無料で他のグループメンバーとのやり取りが可能になる。
【００３３】
図1−3を参照いただきたい。本発明のシステムが景勝地等の特定エリアで使用されると、本発明の方法では次のステップを行う。
【００３４】
共通携帯デバイスを特定エリアに持ち込む際、当該エリアにある1つ以上のサービスデバイス機能モジュール3が携帯デバイスを検出し（アプリ（アプリケーション）システムをダウンロードするか、WiFi機能を自動設定した後、携帯デバイスが、当該デバイスを検出するため）あいさつ文を当該共通携帯デバイスに送信し、その後、1つ以上のサービスデバイス機能モジュール3がアプリシステムが当該共通携帯デバイスにダウンロードされたかを自動的に判断する。アプリシステムがユーザの携帯デバイスにダウンロードされている場合、1つ以上のサービスデバイス機能モジュール3が、ユーザの携帯デバイス5のシステムコード502を使う言語を使用して特定エリアのサービスメッセージをユーザに送信し、その後、ユーザは携帯デバイス5上で本発明のシステムで利用可能なサービスや機能を操作する。1つ以上のサービスデバイス機能モジュール3がアプリシステムが当該共通携帯デバイスにダウンロードされていないと判断すると、各共通携帯デバイスは次のようなダウンロード方法を2つ提供する：1) 共通携帯デバイス上のA/Iポイントを表示。つまり、各共通携帯デバイスがAシステムを使用している場合、AシステムのA/Iポイントが表示され、各共通携帯デバイスがIシステムを使用している場合、IシステムのA/Iポイントが表示され、ダウンロード指示が与えられた後、APPシステムがインターネットを通してダウンロードされ、これにより本発明のシステムが提供する機能やメッセージの内容を知ることができる。一方、ユーザがAPPシステムをダウンロードすることに同意しなければ、各共通携帯デバイスは自動的にダウンロードプロセスを飛ばしてしまうため、ユーザは本発明のシステムが提供する機能の内容やメッセージの内容を知ることができない。2) QRコード（登録商標）スキャンの適用。つまり、人々は特定エリアでマークされているQRコード（登録商標）を使用してAPPシステムをスキャン、ダウンロードする。これにより、ユーザは本発明のシステムが提供する機能やメッセージの内容を知ることができる。但し、ユーザがAPPシステムをダウンロードすることに同意しなければ、QRコード（登録商標）スキャンが行われないため、ユーザは本発明のシステムが提供する機能の内容やメッセージの内容を知ることができない。
【００３５】
さらに、図2と11を参照いただきたい。ユーザが特定エリアに入ると、ユーザの携帯デバイス信号5は1つ以上のサービスデバイス機能モジュール3と接続され、ユーザの携帯デバイス5は携帯デバイス5の現在地情報501、言語使用システムコード502、グループ特定コード503を1つ以上のサービスデバイス機能モジュール3に転送し、WiFi デバイス301は現在地情報501、言語使用システムコード502、グループ特定コード503を受信し、これを処理デバイス機能モジュール302でさらに計算、処理するために送信し、その後、1つ以上のサービスデバイス機能モジュール3が、現在地情報501と言語使用システムコード502に従い共通言語で表示されるメッセージと機能内容をユーザに送信する。これにより、現在地情報501がユーザが景勝地にいると表示するとき（図11)、1つ以上のサービスデバイス機能モジュール3が、自動的にユーザに当該景勝地のメッセージ（ユーザが景勝地にいる確認メッセージ、音声ガイド、最新の表示メッセージ、より詳細な通知、お土産セール情報、休憩所情報等）を送信する。図5Aおよび5Bで説明されるとおり、景勝地内に配置されている1つ以上のサービスデバイス機能モジュール3の数は景勝地のエリアにより異なり、この1つ以上のサービスデバイス機能モジュール3はバックサイトデバイス機能モジュール2からレンター（企業201、店舗202、個人203等）が入力したメッセージを受信し、これにより、この1つ以上のサービスデバイス機能モジュール3は同じメッセージを受信する。景勝地の同じ場所にある複数のサービスデバイス機能モジュール3が同一ユーザに異なるメッセージを送信しないよう、サービスデバイス機能モジュール3の数は1人のユーザに1度に1つのメッセージしか送れないようにするよう制限が掛けられており、これらの場所を通過するユーザの携帯デバイス5を1つ以上のデバイス機能モジュール３が自動的に判断し、ユーザの携帯デバイス5がA1の位置にある1つ以上のデバイス機能モジュール3を通過する際に、この携帯デバイス5が同じメッセージを受信済みかを確認するために、WiFi デバイス301が信号を送信し判断する。まだ送信されていない場合は、1つ以上のサービスデバイス機能モジュール3の処理デバイス機能モジュール302が当該メッセージをA1の位置にあるユーザの携帯デバイス5に送信する。ユーザの携帯デバイス5がA１の位置の1つ以上のデバイス機能モジュール3 を通過するとき、既に同じメッセージを受信済みである場合は、この1つ以上のサービスデバイス機能モジュール3の処理デバイス機能モジュール302は当該ユーザ携帯デバイス5に同じメッセージは送信しない。つまり、ユーザが同じ場所にあるA1位置からA99位置の複数のサービスデバイス機能モジュール3を通過する場合、このユーザの携帯デバイス5はこれらサービスデバイス機能モジュール3から1回しかメッセージを受信しないのである。つまり、ユーザの携帯デバイスは同じ場所でA1からA99の位置まで同じメッセージを受信し続けることはない。
【００３６】
さらに、図12Aを参照いただきたい。ユーザが景勝地に入るとき、1つ以上のサービスデバイス機能モジュール3がデパート関連メッセージをユーザの携帯デバイス5に送信し、このユーザの携帯デバイス5の電話インターフェース6が当該景勝地に関するお知らせ27やエリアマップ26を表示する。また、現在地情報28が自動的に景勝地のエリアマップ26上に表示されるため、ユーザはエリアマップ26における現在地28と景勝地のお知らせ27を理解することができる。電話インターフェース6には3つのファンクションキー（全情報キー12、詳細情報キー13、平面図表示キー14）があるため、ユーザが電話インターフェース6の全情報キー12を押すと、電話インターフェース6のお知らせ8が各メッセージの定位置メッセージのコンテンツ31を表示する。図12Bで説明されるとおり、ユーザは詳細な情報を電話のお気に入りファイルに保存する。つまり、ユーザは電話インターフェース6のファンクションキーエリア20のお気に入りキー2003を押す。ユーザが電話インターフェース6の詳細情報キー13を押すと、お知らせ27にある各メッセージの詳細な情報が表示される。図12C はお気に入りファイルに保存された各メッセージの詳細な情報を表示している。ここで、ユーザは電話インターフェース6のファンクションキーエリア20のお気に入りキー2003を押し、お気に入りファイルにある各メッセージの詳細な情報を保存する。ユーザが電話インターフェース6の平面図表示キー14を押すと、電話インターフェース6は景勝地のエリアマップ26のみを表示する。図12Cで説明されるとおり、ユーザが景勝地に入った元の位置29とユーザが目指す指定位置2901はエリアマップ26上に自動的に表示され、指定位置2901へ向かうユーザに通知するためメッセージアラート33が表示される。そのため、ユーザは景勝地における方向と位置をはっきりと知るため迷子にならない。
【００３７】
図12Dを参照いただきたい。ユーザが景勝地を離れる際、1つ以上のサービスデバイス機能モジュール3がユーザの携帯デバイス5における携帯インターフェース6のメッセージ表示エリア21にお知らせメッセージ27を表示する。そこで、利用条件に基づいてメッセージの内容とメッセージ表示エリア21の種類がバックサイトデバイス機能モジュール2に入力される。
【００３８】
さらに、図12Aを参照いただきたい。景勝地においてユーザがリマインダータイマーを予約したい場合には、入力ボックス（ここでは表示無し）を表示するため、携帯インターフェース6における機能キーエリア20の設定キー2004を押す。するとユーザは、例えば午後6時に宮廷美術館の北口、などのリマインダーメッセージを入力できる。図12Dに示されているように、時間になると、1つ以上のサービスデバイス機能モジュール3が音とアラームメッセージ35をユーザの携帯デバイス5に送信して注意を促す。
【００３９】
図12Aで説明されるとおり、景勝地に入った際に全ての最新メッセージをアップデートしたい場合、ユーザはアップデートキー19を押す。大量のメッセージを受信したくない場合は、受信拒否キー18を押すことにより、携帯デバイス5は1つ以上のサービスデバイス機能モジュール3から転送されるメッセージの受信を中止する。ユーザが再び受信拒否キー18を押すと、携帯デバイス5は少なくとも1つ以上のサービスデバイス機能モジュール3から転送されるメッセージを受信する。
【００４０】
図12Aを参照いただきたい。1つ以上のサービスデバイス機能モジュール3から転送されるメッセージをテキストモードでユーザが受信したくない場合、電話インターフェース6の機能キーエリア20の音声キー2002またはオーディオキー2001を押す。するとテストモードから音声キーモードからオーディオモードに切り替わり、メッセージは音声キーモードかオーディオモードで受信され、マルチモード表示となる。
【００４１】
図2と8を参照いただきたい。ユーザがグループメンバーの一員であれば、承認済みグループマネージャはバックサイトデバイス機能モジュール2を使ってメンバー名と電話番号を入力し、入力されたメンバー名と電話番号は1つ以上のサービスデバイス機能モジュール3とインターネットに送信されるため、各グループメンバーは一連の認証コードを受信する。したがって、ユーザが景勝地に入ると、ユーザの携帯デバイス5は景勝地からメッセージを受信し、自動的にグループ認証コードを1つ以上のサービスデバイス機能モジュール3に送信する。その後、1つ以上のサービス デバイス機能モジュール3の処理デバイス機能モジュール302が、当該ユーザがグループメンバーの一員であるかを自動的に判断する。その場合、処理デバイス機能モジュール 302 の動的グループ管理デバイスは、1つ以上のサービスデバイス機能モジュール3のWiFi デバイス30を使ってメッセージを送信するので、グループメンバーがいる位置が景勝地のエリアマップ26上に表示される。図13で説明されるとおり、ユーザがグループメンバーの一員であり、電話インターフェース6（図8参照）の平面図表示キー14を押すと、1つ以上のサービスデバイス機能モジュール3が特定グループメンバーの動的メッセージ4を当該ユーザの携帯デバイス5に送信する。すなわち、図12Aの電話インターフェース6の個人の現在地が図13のグループ現在地に変わり、マネージャの位置23、グループメンバーの位置24、ユーザの位置28が色別でエリアマップ26上に表示される。これにより、ユーザはすべてのグループメンバーがどこにいるかをはっきり知ることができる。また、ユーザがグループメンバーのうち誰かと連絡を取りたい場合、エリアマップ26の1つの位置マークを押せば、電話インターフェース6がエリアマップ26の1つの位置マークの横に通知入力ボックス25（図14参照）を自動的に表示するので、ユーザはメッセージを入力後送信する。その後、メッセージは1つ以上のサービスデバイス機能モジュール3のWiFi デバイス301により景勝地で送信され、無料で他のグループメンバーとのやり取りが可能になる。
【００４２】
図1−3を参照いただきたい。本発明のシステムがデパート等の特定エリアで使用されると、本技術の方法では次のステップを行う。
【００４３】
共通携帯デバイスを特定エリアに持ち込む際、当該エリアにある1つ以上のサービスデバイス機能モジュール3が携帯デバイスを検出し（アプリ（アプリケーション）システムをダウンロードするか、WiFi機能を自動設定した後、携帯デバイスが、当該デバイスを検出するため）あいさつ文を当該共通携帯デバイスに送信し、その後、1つ以上のサービスデバイス機能モジュール3がアプリシステムが当該共通携帯デバイスにダウンロードされたかを自動的に判断する。アプリシステムがユーザの携帯デバイスにダウンロードされている場合、1つ以上のサービスデバイス機能モジュール3が、ユーザの携帯デバイス5のシステムコード502を使う言語を使用して特定エリアのメッセージをユーザに送信し、その後、ユーザは携帯デバイス5上で本発明のシステムで利用可能なサービスや機能を操作する。1つ以上のサービスデバイス機能モジュール3がアプリシステムが当該共通携帯デバイスにダウンロードされていないと判断すると、各共通携帯デバイスは次のようなダウンロード方法を2つ提供する：1) 共通携帯デバイス上のA/Iポイントを表示。つまり、各共通携帯デバイスがAシステムを使用している場合、AシステムのA/Iポイントが表示され、各共通携帯デバイスがIシステムを使用している場合、IシステムのA/Iポイントが表示され、ダウンロード指示が与えられた後、APPシステムがインターネットを通してダウンロードされ、これにより本発明のシステムが提供する機能やメッセージの内容を知ることができる。一方、ユーザがAPPシステムをダウンロードすることに同意しなければ、各共通携帯デバイスは自動的にダウンロードプロセスを飛ばしてしまうため、ユーザは本技術のシステムが提供する機能の内容やメッセージの内容を知ることができない。2) QRコード（登録商標）スキャンの適用。つまり、人々は特定エリアでマークされているQRコード（登録商標）を使用してAPPシステムをスキャン、ダウンロードする。これにより、ユーザは本発明のシステムが提供する機能やメッセージの内容を知ることができる。但し、ユーザがAPPシステムをダウンロードすることに同意しなければ、QRコード（登録商標）スキャンが行われないため、ユーザは本発明のシステムが提供する機能の内容やメッセージの内容を知ることができない。
【００４４】
さらに、図2と15を参照いただきたい。ユーザが特定エリアに入ると、ユーザの携帯デバイス信号5は1つ以上のサービスデバイス機能モジュール3と接続され、ユーザの携帯デバイス5は携帯デバイス5の現在地情報501、言語使用システムコード502、グループ特定コード503を1つ以上のサービスデバイス機能モジュール3に転送し、WiFi デバイス301は現在地情報501、言語使用システムコード502、グループ特定コード503を受信し、これを処理デバイス機能モジュール302でさらに計算、処理するために送信し、その後、1つ以上のサービスデバイス機能モジュール3が、現在地情報501と言語使用システムコード502に従い共通言語で表示されるメッセージと機能内容をユーザに送信する。これにより、現在地情報501がユーザがデパートにいると表示するとき（図15)、1つ以上のサービスデバイス機能モジュール3が、自動的にユーザにデパートのメッセージ（ユーザがデパートにいる確認メッセージ、お知らせ、音声ガイド、最新の表示メッセージ、より詳細な通知、エレベーターの場所、休憩所情報、ドレッシングルームの場所、フードコート等）を送信する。図5Aおよび5Bで説明されるとおり、デパート内に配置されている1つ以上のサービスデバイス機能モジュール3の数はデパートのエリアにより異なり、この1つ以上のサービスデバイス機能モジュール3はバックサイトデバイス機能モジュール2からレンター（企業201、店舗202、個人203等）が入力したメッセージを受信し、これにより、この1つ以上のサービスデバイス機能モジュール3は同じメッセージを受信する。デパートの同じ場所にある複数のサービスデバイス機能モジュール3が同一ユーザに異なるメッセージを送信しないよう、サービスデバイス機能モジュール3の数は1人のユーザに1度に1つのメッセージしか送れないようにするよう制限が掛けられており、これらの場所を通過するユーザの携帯デバイス5を1つ以上のデバイス機能モジュール３が自動的に判断し、ユーザの携帯デバイス5がA1の位置にある1つ以上のデバイス機能モジュール3を通過する際に、この携帯デバイス5が同じメッセージを受信済みかを確認するために、WiFi デバイス301が信号を送信し判断する。まだ送信されていない場合は、1つ以上のサービス デバイス機能モジュール3の処理デバイス機能モジュール302が当該メッセージをA1の位置にあるユーザの携帯デバイス5に送信する。ユーザの携帯デバイス5がA１の位置の 1つ以上のデバイス機能モジュール 3 を通過するとき、既に同じメッセージを受信済みである場合は、この1つ以上のサービスデバイス機能モジュール3の処理デバイス機能モジュール302は当該ユーザ携帯デバイス5に同じメッセージは送信しない。つまり、ユーザが同じ場所にあるA1位置からA99位置の複数のサービスデバイス機能モジュール3を通過する場合、このユーザの携帯デバイス5はこれらサービスデバイス機能モジュール3から1回しかメッセージを受信しないのである。つまり、ユーザの携帯デバイスは同じ場所でA1からA99の位置まで同じメッセージを受信し続けることはない。
【００４５】
さらに、図16Aを参照いただきたい。ユーザがデパートに入るとき、1つ以上のサービスデバイス機能モジュール3がデパート関連メッセージをユーザの携帯デバイス5に送信し、このユーザの携帯デバイス5の電話インターフェース6がメッセージアラート40やエリアマップ36、そして当該デパートに関するお知らせ37を表示する。また、現在地情報38が自動的にデパートのエリアマップ36上に表示されるため、ユーザはエリアマップ38における現在地36とデパートのお知らせ37を理解することができる。電話インターフェース6には3つのファンクションキー（全情報キー12、詳細情報キー13、平面図表示キー14）があるため、ユーザが電話インターフェース6の全情報キー12を押すと、電話インターフェース6のお知らせ37が各メッセージのすべての情報を表示し（ここでは表示無し）、ユーザは希望する情報を電話のお気に入りファイルに保管する。つまり、ユーザは電話インターフェース6のファンクションキーエリア20のお気に入りキー2003を押す。ユーザが電話インターフェース6の詳細情報キー13を押すと、お知らせ37が各メッセージのすべての情報を表示する（ここでは表示無し）。ユーザがお気に入りファイルにある各メッセージのすべての情報を保存したい場合、電話インターフェース6のファンクションキーエリア20のお気に入りキー2003を押し、お気に入りファイルにある各メッセージの情報を保存する。ユーザが電話インターフェース6の平面図表示キー14を押すと、電話インターフェース6はデパートのエリアマップ36のみを表示する。図16Bで説明されるとおり、ユーザがデパートに入った元の位置39とユーザが目指す指定位置3901はエリアマップ36上に自動的に表示され、指定位置3901へ向かうユーザに通知するためメッセージアラート33が表示される。そのため、ユーザはデパートにおける方向と位置をはっきりと知るため迷子にならない。
【００４６】
図16Aを参照いただきたい。ユーザがデパートを離れる際、1つ以上のサービスデバイス機能モジュール3は、ユーザの携帯デバイス5における携帯インターフェース6のメッセージ表示エリア21上で、お知らせメッセージ37をデパートからの交通情報（ここでは表示無し）に切り替える。そこで、利用条件に基づいてメッセージの内容とメッセージ表示エリア21の種類がバックサイトデバイス機能モジュール2に入力される。
【００４７】
さらに、図12Aを参照いただきたい。デパートにおいてユーザがリマインダータイマーを予約したい場合には、入力ボックス（ここでは表示無し）を表示するため、携帯インターフェース6における機能キーエリア20の設定キー2004を押す。するとユーザは、例えば午後3時に1階のインフォーメーションデスク、などのリマインダーメッセージを入力できる。時間になると、1つ以上のサービスデバイス機能モジュール3が音声アラームメッセージ（ここでは表示無し）をユーザの携帯デバイス5に送信して注意を促す。
【００４８】
図16Aで説明されるとおり、デパートに入った際に全ての最新メッセージをアップデートしたい場合、ユーザはアップデートキー19を押す。大量のメッセージを受信したくない場合は、受信拒否キー18を押すことにより、携帯デバイス5は1つ以上のサービスデバイス機能モジュール3から転送されるメッセージの受信を中止する。ユーザが再び受信拒否キー18を押すと、携帯デバイス5は少なくとも1つ以上のサービスデバイス機能モジュール3から転送されるメッセージを受信する。
【００４９】
図16Aを参照いただきたい。1つ以上のサービスデバイス機能モジュール3から転送されるメッセージをテキストモードでユーザが受信したくない場合、電話インターフェース6の機能キーエリア20の音声キー2002またはオーディオキー2001を押す。するとテストモードから音声キーモードからオーディオモードに切り替わり、メッセージは音声キーモードかオーディオモードで受信され、マルチモード表示となる。
【００５０】
図2と8を参照いただきたい。ユーザがグループメンバーの一員であれば、承認済みグループマネージャはバックサイトデバイス機能モジュール2を使ってメンバー名と電話番号を入力し、入力されたメンバー名と電話番号は1つ以上のサービスデバイス機能モジュール3とインターネットに送信されるため、各グループメンバーは一連の認証コードを受信する。したがって、ユーザがデパートに入ると、ユーザの携帯デバイス5はデパートからメッセージを受信し、自動的にグループ認証コードを1つ以上のサービスデバイス機能モジュール3に送信する。その後、1つ以上のサービス デバイス機能モジュール3の処理デバイス機能モジュール302が、当該ユーザがグループメンバーの一員であるかを自動的に判断する。その場合、処理デバイス機能モジュール 302 の動的グループ管理デバイスは、1つ以上のサービスデバイス機能モジュール3のWiFi デバイス30を使ってメッセージを送信するので、グループメンバーがいる位置がデパートのエリアマップ36上に表示される。図8および16Cで説明されるとおり、ユーザがグループメンバーの一員であり、電話インターフェース6（図8参照）の平面図表示キー14を押すと、1つ以上のサービスデバイス機能モジュール3が特定グループメンバーの動的メッセージ4を当該ユーザの携帯デバイス5に選択的に送信する。すなわち、図16Bの電話インターフェース6の個人の現在地が図13のグループ現在地16Cに変わり、マネージャの位置23、グループメンバーの位置24、ユーザの位置9が色別でエリアマップ36上に表示される。これにより、ユーザはすべてのグループメンバーがどこにいるかをはっきり知ることができる。また、ユーザがグループメンバーのうち誰かと連絡を取りたい場合、エリアマップ36の1つの位置マークを押せば、電話インターフェース6がエリアマップ36の1つの位置マークの横に通知入力ボックス25（図16D参照）を自動的に表示するので、ユーザはメッセージを入力後送信する。その後、メッセージは1つ以上のサービスデバイス機能モジュール3のWiFi デバイス301によりデパートで送信され、無料で他のグループメンバーとのやり取りが可能になる。
【００５１】
図1−3を参照いただきたい。本発明のシステムがコンビニエンスストア等の特定エリアで使用されると、本発明の方法では次のステップを行う。
【００５２】
共通携帯デバイスを特定エリアに持ち込む際、当該エリアにある1つ以上のサービスデバイス機能モジュール3が携帯デバイスを検出し（アプリ（アプリケーション）システムをダウンロードするか、WiFi機能を自動設定した後、携帯デバイスが、当該デバイスを検出するため）あいさつ文を当該共通携帯デバイスに送信し、その後、1つ以上のサービスデバイス機能モジュール3がアプリシステムが当該共通携帯デバイスにダウンロードされたかを自動的に判断する。アプリシステムがユーザの携帯デバイスにダウンロードされている場合、1つ以上のサービスデバイス機能モジュール3が、ユーザの携帯デバイス5のシステムコード502を使う言語を使用して特定エリアのメッセージをユーザに送信し、その後、ユーザは携帯デバイス5上で本発明のシステムで利用可能なサービスや機能を操作する。1つ以上のサービスデバイス機能モジュール3がアプリシステムが当該共通携帯デバイスにダウンロードされていないと判断すると、各共通携帯デバイスは次のようなダウンロード方法を2つ提供する：1) 共通携帯デバイス上のA/Iポイントを表示。つまり、各共通携帯デバイスがAシステムを使用している場合、AシステムのA/Iポイントが表示され、各共通携帯デバイスがIシステムを使用している場合、IシステムのA/Iポイントが表示され、ダウンロード指示が与えられた後、APPシステムがインターネットを通してダウンロードされ、これにより本発明のシステムが提供する機能やメッセージの内容を知ることができる。一方、ユーザがAPPシステムをダウンロードすることに同意しなければ、各共通携帯デバイスは自動的にダウンロードプロセスを飛ばしてしまうため、ユーザは本発明システムが提供する機能の内容やメッセージの内容を知ることができない。2) QRコード（登録商標）スキャンの適用。つまり、人々は特定エリアでマークされているQRコード（登録商標）を使用してAPPシステムをスキャン、ダウンロードする。これにより、ユーザは本発明のシステムが提供する機能やメッセージの内容を知ることができる。但し、ユーザがAPPシステムをダウンロードすることに同意しなければ、QRコード（登録商標）スキャンが行われないため、ユーザは本発明のシステムが提供する機能の内容やメッセージの内容を知ることができない。
【００５３】
さらに、図2と17を参照いただきたい。ユーザが特定エリアに入ると、ユーザの携帯デバイス信号5は1つ以上のサービスデバイス機能モジュール3と接続され、ユーザの携帯デバイス5は携帯デバイス5の現在地情報501と言語使用システムコード502に転送し、WiFi デバイス301は現在地情報501と言語使用システムコード502を処理デバイス機能モジュール302でさらに計算、処理するために送信し、その後、1つ以上のサービスデバイス機能モジュール3が、現在地情報501と言語使用システムコード502に従い共通言語で表示されるメッセージと機能内容をユーザに送信する。これにより、現在地情報501の現在地表示41がユーザがコンビニエンスストアにいると表示するとき（図5Aと5B)、1つ以上のサービスデバイス機能モジュール3が、自動的にユーザに当該コンビニエンスストアのメッセージ（ユーザがコンビニエンスストアにいる確認メッセージ、音声ガイド、最新の表示メッセージ、より詳細な通知、お土産セール情報、休憩所情報等）を送信する。図5Aおよび5Bで説明されるとおり、コンビニエンスストア内に配置されている1つ以上のサービスデバイス機能モジュール3の数はコンビニエンスストアのエリアにより異なり、この1つ以上のサービスデバイス機能モジュール3はバックサイトデバイス機能モジュール2からレンター（企業201、店舗202、個人203等）が入力したメッセージを受信し、これにより、この1つ以上のサービスデバイス機能モジュール3は同じメッセージを受信する。コンビニエンスストアの同じ場所にある複数のサービスデバイス機能モジュール3が同一ユーザに異なるメッセージを送信しないよう、サービスデバイス機能モジュール3の数は1人のユーザに1度に1つのメッセージしか送れないようにするよう制限が掛けられており、これらの場所を通過するユーザの携帯デバイス5を1つ以上のデバイス機能モジュール３が自動的に判断し、ユーザの携帯デバイス5がA1の位置にある1つ以上のデバイス機能モジュール3を通過する際に、この携帯デバイス5が同じメッセージを受信済みかを確認するために、WiFi デバイス301が信号を送信し判断する。まだ送信されていない場合は、1つ以上のサービス デバイス機能モジュール3の処理デバイス機能モジュール302が当該メッセージをA1の位置にあるユーザの携帯デバイス5に送信する。ユーザの携帯デバイス5がA１の位置の1つ以上のデバイス機能モジュール 3 を通過するとき、既に同じメッセージを受信済みである場合は、この1つ以上のサービスデバイス機能モジュール3の処理デバイス機能モジュール302は当該ユーザ携帯デバイス5に同じメッセージは送信しない。つまり、ユーザが同じ場所にあるA1位置からA99位置の複数のサービスデバイス機能モジュール3を通過する場合、このユーザの携帯デバイス5はこれらサービスデバイス機能モジュール3から1回しかメッセージを受信しないのである。つまり、ユーザの携帯デバイスは同じ場所でA1からA99の位置まで同じメッセージを受信し続けることはない。
【００５４】
さらに、図17を参照いただきたい。ユーザがコンビニエンスストアに入るとき、1つ以上のサービスデバイス機能モジュール3がコンビニエンスストア関連メッセージをユーザの携帯デバイス5に送信し、このユーザの携帯デバイス5の電話インターフェース6がコンビニエンスストアのお知らせを表示するため、ユーザは当該デパートに関する現在のお知らせ42を理解することができる。電話インターフェース6には3つのファンクションキー（全情報キー12、詳細情報キー13、ポイントコレクトキー43）があるため、ユーザが電話インターフェース6の全情報キー12を押すと、電話インターフェース6のお知らせ42が各メッセージのすべての情報を表示する（ここでは表示無し）。ユーザが携帯インターフェース6のポイント収集キー43を押すと、図18に説明されているように、ポイント収集カードを確認してポイント確認のお知らせ44を携帯インターフェース6に示す。また、QRコード（登録商標）スキャン機能を開始するためQRコード（登録商標）スキャンキー45をユーザが押すと、インボイスのバーコードと携帯デバイスのカメラレンズが連動して、バーコードをスキャンする。その後、本技術のシステムが自動的にコンビニエンスストアの1つ以上のサービスデバイス機能モジュール3に接続し、インボイスの数と、そのインボイスが本物かどうかを確認する。もしインボイスが本物であれば、インボイスの数に応じて本技術のシステムが自動的にポイントを計算し、ポイントチェックのお知らせ44を携帯インターフェース上に形式に沿って表示する。形式はコンビニエンスストアごとに設定されている。
【００５５】
図１７および１８で説明されるとおり、コンビニエンスストアに入った際に全ての最新メッセージをアップデートしたい場合、ユーザはアップデートキー19を押す。大量のメッセージを受信したくない場合は、受信拒否キー18を押すことにより、携帯デバイス5は1つ以上のサービスデバイス機能モジュール3から転送されるメッセージの受信を中止する。ユーザが再び受信拒否キー18を押すと、携帯デバイス5は少なくとも1つ以上のサービスデバイス機能モジュール3から転送されるメッセージを受信する。
【００５６】
本発明に沿って各種の具体例を例示し説明してきたが、今後、本発明の趣旨から外れることなく、当該発明に関する技術に秀でた者に対してさらに多くの具体例が示されることは明らかである。
【符号の説明】
【００５７】
１…制御デバイス機能モジュール、２…、バックサイト デバイス機能モジュール、３…1つ以上のサービスデバイス機能モジュール、５…ユーザ携帯デバイス、２０１…企業、２０２…店舗、２０３…個人、３０１…WiFi デバイス、３０２…処理デバイス機能モジュール、５０１…現在地情報、５０２…言語使用システムコード、５０３…グループ特定コード。
【図１】
2015026168.tif 000003
【図２】
2015026168.tif 000004
【図３】
2015026168.tif 000005
【図４】
2015026168.tif 000006
【図５Ａ】
2015026168.tif 000007
【図５Ｂ】
2015026168.tif 000008
【図６Ａ】
2015026168.tif 000009
【図６Ｂ】
2015026168.tif 000010
【図６Ｃ】
2015026168.tif 000011
【図６Ｄ】
2015026168.tif 000012
【図６Ｅ】
2015026168.tif 000013
【図７】
2015026168.tif 000014
【図８】
2015026168.tif 000015
【図９】
2015026168.tif 000016
【図１０】
2015026168.tif 000017
【図１１】
2015026168.tif 000018
【図１２Ａ】
2015026168.tif 000019
【図１２Ｂ】
2015026168.tif 000020
【図１２Ｃ】
2015026168.tif 000021
【図１２Ｄ】
2015026168.tif 000022
【図１３】
2015026168.tif 000023
【図１４】
2015026168.tif 000024
【図１５】
2015026168.tif 000025
【図１６Ａ】
2015026168.tif 000026
【図１６Ｂ】
2015026168.tif 000027
【図１６Ｃ】
2015026168.tif 000028
【図１６Ｄ】
2015026168.tif 000029
【図１７】
2015026168.tif 000030
【図１８】
2015026168.tif 000031
【手続補正書】
【提出日】平成26年12月8日(2014.12.8)
【手続補正１】
【補正対象書類名】特許請求の範囲
【補正対象項目名】全文
【補正方法】変更
【補正の内容】
【特許請求の範囲】
【請求項１】
特定エリアでサービスメッセージ（通知）や現在地情報をユーザの携帯デバイスに通知するためのシステムであって、
バックサイトデバイス機能モジュールから入力され、1つ以上のサービスデバイス機能モジュールにある処理デバイス機能モジュールに転送されたサービスメッセージや機能を判断するために使用される制御デバイス機能モジュールを備え、該制御デバイス機能モジュールは、1つ以上のサービスデバイス機能モジュールの機能やサービスメッセージを処理し、1つ以上のサービスデバイス機能モジュールのWiFi （ワイヤレス・フィディリティ）デバイスを経由して携帯デバイスに転送させることを定めたコントラクト（契約）が有効であるかを判断し、
バックサイトデバイス機能モジュールを備え、該バックサイトデバイス機能モジュールは、1つ以上のサービスデバイス機能モジュールの処理デバイス機能モジュールのサービスメッセージを選択し、制御するために適用され、制御デバイス機能モジュールは、処理デバイス機能モジュールのサービスメッセージがユーザの携帯デバイスに転送させることを定めたコントラクトが有効であるかを判断し、
1つ以上のサービスデバイス機能モジュールを備え、該サービスデバイス機能モジュールは、双方のコントラクトが有効であると判断されたときに、バックサイトデバイス機能モジュールからユーザの携帯デバイスにサービスメッセージを転送させ、1つ以上のサービスデバイス機能モジュールにはWiFi デバイスや処理デバイス機能モジュールが含まれ、1つ以上のサービスデバイス機能モジュール内で、処理デバイス機能モジュールは、テキストデバイスモジュール、音声デバイスモジュール、イラストレーテットデバイスモジュール、オーディオビジュアルデバイス、記録保管モジュール、場所情報記録デバイスモジュール、多言語処理機能デバイスモジュール、動的グループ管理デバイスモジュールを持ち、また、WiFi デバイスは、携帯デバイスから転送されたサービスメッセージと内部コードを処理デバイス機能モジュールに送信し、多言語処理デバイス機能モジュールは、特定エリアで、ユーザの携帯デバイスで指定された言語によるサービスメッセージや現在地情報を提供する処理を行い、ユーザの携帯デバイスで指定された言語によるサービスメッセージや現在地情報がユーザの携帯デバイスに通知され、
携帯デバイスを所有したユーザが特定エリアにいるとき、ユーザの携帯デバイスは、サービスメセージと内部コードを形成する現在地情報、言語使用システムコード、およびユーザを含んだグループメンバーからなるグループを特定するグループ特定コードを、複数のサービスデバイス機能モジュールに転送するように準備し、特定エリアにある複数のサービスデバイス機能モジュールは、ユーザの携帯デバイスからの繰り返しのサービスメッサージを受信しないように判断を行い、当該言語によるメッセージは、複数のサービスデバイス機能モジュールの処理デバイス機能モジュールによって処理され、ユーザの携帯デバイスにWiFi デバイスから送信され、ユーザの携帯デバイスは、複数のサービスデバイス機能モジュールから処理されたサービスメッサージおよび言語機能を受信し、当該言語によるサービスメッセージを受信したサービスデバイス機能モジュールは、送信されたグループ特定コードからグループを判断し、当該グループのユーザが準備されたグループメンバーと同一であれば、複数のサービスデバイス機能モジュールがグループメンバーの携帯デバイスにグループメンバーの動的メッサージを送信することを可能とし、ユーザの携帯デバイスのマップ上にグループメンバーの現在地情報が表示され、ユーザを含んだグループメンバーに、複数のサービスデバイス機能モジュールを無料で使用させることを可能とし、ユーザを含んだグループメンバーの携帯デバイス間で、互いにメッセージ通信を送信させることを可能とし、ユーザを含んだグループメンバー間でコミュニケーションを取ることを可能とすること
を特徴とする特定エリアでサービスメッセージや現在地情報をユーザの携帯デバイスに通知するためのシステム。
【請求項２】
特定エリアでサービスメッセージ（通知）や現在地情報を通知するためのシステムが、複数のサービスデバイス機能モジュールを備え、該サービスデバイス機能モジュールに処理デバイス機能モジュールが含まれ、
次のようなステップを経ることで、特定エリアでサービスメッセージや現在地情報をユーザの携帯デバイスに通知するための方法であって、  ステップ (A) ：ユーザに所有されてユーザの携帯デバイスが、特定エリアに持ち込まれると、当該エリアにある複数のサービスデバイス機能モジュールが当該携帯デバイスを検出し、当該携帯デバイスにあいさつ文を送信し、その後、複数のサービスデバイス機能モジュールが、アプリケーションシステムが携帯デバイスにダウンロードされたかを判断し、
ステップ (B)：アプリケーションシステムがユーザの携帯デバイスにダウンロードされている場合、複数のサービスデバイス機能モジュールが特定エリアのサービスメッセージをユーザの携帯デバイスに送信し、
ステップ （C）：複数のサービスデバイス機能モジュールが、アプリケーションシステムがユーザの携帯デバイスにダウンロードされていないと判断すると、ユーザの携帯デバイスに次のようなダウンロード方法を2つ提供する：1) ユーザの携帯デバイスが同一アプリケーションシステムのダウンロードを可能とする表示機能を備えているときに、同一アプリケーションシステムのダウンロード表示がなされて、同一アプリケーションシステムのダウンロードの指示がなされると、ユーザの携帯デバイスに同一のアプリケーションシステムを、インターネットを通してダウンロードさせ、これにより該システムが提供する機能やサービスメッセージの内容を知ることを可能とし、2) QR（クイックレスポンス）コードを適用し、特定エリアでマークされているQRコード（登録商標）を使用してアプリケーションシステムをダウンロードさせ、これにより、該アプリケーションシステムが提供する機能やサービスメッセージの内容を知ることを可能とし、
ステップ (D)：ユーザの携帯デバイスが特定エリアに持ち込まれると、ユーザの携帯デバイスは、複数のサービスデバイス機能モジュールに接続され、処理デバイス機能モジュールがサービスメッセージおよび現在地情報を形成する処理を行い、その後、複数のサービスデバイス機能モジュールが、処理された現在地のサービスメッセージおよび現在地情報をユーザの携帯デバイスに送信し、
ステップ (E)：特定エリアで準備された複数のサービスデバイス機能モジュール数は、特定エリアの場所により異なるものとし、同じ場所にある複数のサービスデバイス機能モジュールが同一ユーザの携帯デバイスに異なるサービスメッセージを送信しないよう、サービスデバイス機能モジュールの数は、1つのユーザの携帯デバイスに1度に1つのサービスメッセージしか送れないようにする制限が掛けられており、ユーザの携帯デバイスが複数のサービスデバイス機能モジュールの1つの場所を、携帯デバイスを所有したユーザが繰り返し通過することを示す場合、複数のサービスデバイス機能モジュールは、同じエリアにある複数のサービスデバイス機能モジュールの同一場所でユーザの携帯デバイスが繰り返し2つ以上のサービスメッセージを受信しないように判断し、
ステップ  (F)：携帯デバイスを所有したユーザが特定エリアに入ると、複数のサービスデバイス機能モジュールが当該エリアに関連したサービスメッセージをユーザの携帯デバイスに送信し、現在地がエリアマップにマークされ、ユーザが現在地マップの現在地とサービスメッセージが分かるようにユーザの携帯デバイスの電話インターフェースが当該エリアのエリアマップとサービスメッセージを表示し、
ステップ  (G)：携帯デバイスを所有したユーザが特定エリアを離れるときは、複数のサービスデバイス機能モジュールがユーザの携帯デバイスの電話インターフェースのメッセージ表示エリアに特定エリアの交通情報を表示することを特徴とする特定エリアでサービスメッセージや現在地情報をユーザの携帯デバイスに通知するための方法。
【請求項３】
請求項２に記載された特定エリアでサービスメッセージや現在地情報をユーザの携帯デバイスに通知するための方法において、ステップ（A）に記載したように、複数のデバイスサービス機能モジュールが携帯デバイスを検知し、ユーザによってアプリケーションシステムがダウンロードされるか、またはWiFi機能が設定されると、ユーザの携帯デバイスのWiFi機能が検知されることを特徴とする特定エリアでインスタントメッセージや現在地情報を通知するための方法。
【請求項４】
請求項２に記載された特定エリアでサービスメッセージや現在地情報をユーザの携帯デバイスに通知するための方法において、空港において、空港に関連したサービスメッセージがユーザの携帯デバイスに送られ、景勝地において景勝地に関連したサービスメッセージがユーザの携帯デバイスに送られ、デパートにおいてデパートに関連したサービスメッセージがユーザの携帯デバイスに送られ、コンビニエンスストアにおいてコンビニエンスストアに関連したサービスメッセージがユーザの携帯デバイスに送られることを特徴とする特定エリアでサービスメッセージや現在地情報をユーザの携帯デバイスに通知するための方法。
【請求項５】
請求項２に記載された特定エリアでメッセージや現在地情報をユーザの携帯デバイスに通知するための方法において、ステップ(E)に記載されたように、同じ場所にある複数のサービスデバイス機能モジュールが同一ユーザの携帯デバイスに重複して同じサービスメッセージを送らないよう、複数のサービスデバイス機能モジュールは1人のユーザの１つの携帯デバイスに1度に1つのサービスメッセージしか送らないことを特徴とする特定エリアでサービスメッセージや現在地情報をユーザの携帯デバイスに通知するための方法。
【請求項６】
請求項２に記載された特定エリアでサービスメッセージや現在地情報をユーザの携帯デバイスに通知するための方法において、ステップ(F)に記載されたように、ユーザの携帯デバイスの電話インターフェースは全情報キー、詳細情報キー、平面図表示キーの3つの機能キーを搭載し、ユーザによって、全情報か、一つのメッセージによる詳細情報か、特定地域の平面図表かが選択され、お気に入りファイルに希望する情報が追加されて、携帯電話機能がオフラインのときにも当該情報を見ることを可能とすることを特徴とする特定エリアでサービスメッセージや現在地情報をユーザの携帯デバイスに通知するための方法。
【請求項７】
請求項２に記載された特定エリアでサービスメッセージや現在地情報をユーザの携帯デバイスに通知するための方法において、特定エリアにおいて当該エリアにおけるサービスメッセージや現在地情報を受信した後にユーザがリマインダータイマーを予約するときに、携帯インターフェースの機能キーエリア上にある設定キーが押され、入力ボックスが表示され、ユーザによって、リマインダーメッセージが入力され、時間になると、複数のサービスデバイス機能モジュールが音とアラームメッセージを携帯デバイスに送信しユーザの携帯デバイスに通知することを特徴とする特定エリアでサービスメッセージや現在地情報をユーザの携帯デバイスに通知するための方法。
【請求項８】
請求項２に記載された特定エリアでサービスメッセージや現在地情報をユーザの携帯デバイスに通知するための方法において、ステップ(F)に記載されたように、ユーザが全てのサービスメッセージをアップデートしたいとき、アップデートキーが押されることで全てのサービスメッセージがアップデートされ、ユーザが大量のサービスメッセージを受け取らないとき、受信拒否キーが押されることでユーザの携帯デバイスは1つ以上のサービスデバイス機能モジュールから送られるサービスメッセージの受信を中止し、ユーザによって再度受信拒否キーが押されると、ユーザの携帯デバイスは、複数のサービスデバイス機能モジュールから送られるサービスメッセージを受信することを特徴とする特定エリアでサービスメッセージや現在地情報をユーザの携帯デバイスに通知するための方法。
【請求項９】
請求項２に記載された特定エリアでサービスメッセージや現在地情報をユーザの携帯デバイスに通知するための方法において、ステップ(F)に記載されたように、特定地域に関連するサービスメッセージがユーザの携帯デバイスに送出される際、ユーザがテキストモードで複数のサービスデバイス機能モジュールから送られるサービスメッセージを受信しないとき、携帯インターフェースの機能キーエリア上の音声キーかオーディオキーが押されることにより、サービスメッセージは音声キーモードかオーディオモードで受信され、マルチモード表示となることを特徴とする特定エリアでサービスメッセージや現在地情報をユーザの携帯デバイスに通知するための方法。
【請求項１０】
請求項２に記載された特定エリアでサービスメッセージや現在地情報をユーザの携帯デバイスに通知するための方法において、ステップ(F)に記載されたように、複数のサービスデバイス機能モジュールの処理デバイス機能モジュールが、当該ユーザがグループメンバーの一員であると自動的に判断したとき、処理デバイス機能モジュールの動的グループ管理デバイス機能は、複数のサービスデバイス機能モジュールのWiFiデバイスを使用してサービスメッセージを送り、ユーザを含んで形成されたグループメンバーの位置がステップ(F)のエリアマップ上に表示され、ユーザを含んで形成されたグループメンバーの位置がエリアマップに色別にマークされることを特徴とする特定エリアでサービスメッセージや現在地情報をユーザの携帯デバイスに通知するための方法。
【請求項１１】
請求項２に記載された特定エリアでサービスメッセージや現在地情報をユーザの携帯デバイスに通知するための方法において、ユーザがグループメンバーのうち誰かと連絡を取るとき、エリアマップの1つの位置マークが押され、電話インターフェースがエリアマップの1つの位置マークの横に通知入力ボックスを表示し、ユーザのメッセージが入力後送信され、当該メッセージは1つ以上のサービスデバイス機能モジュールのWiFi デバイスから送信され、他のグループメンバーとのやり取りが可能になることを特徴とする特定エリアでメッセージや現在地情報をユーザの携帯デバイスに通知するための方法。
【請求項１２】
請求項２に記載された特定エリアでサービスメッセージや現在地情報をユーザの携帯デバイスに通知するための方法において、複数のサービスデバイス機能モジュールの処理デバイス機能モジュールが、当該ユーザがグループメンバーの一員であるかを自動的に判断する際、ユーザを含んで形成されたグループメンバーの中の承認済みグループマネージャの携帯デバイスから、バックサイトデバイス機能モジュールにメンバー名と電話番号が入力され、入力されたメンバー名と電話番号は複数のサービスデバイス機能モジュールとインターネットに送信されて、 各グループメンバーの携帯デバイスは一連の認証コードを受信することを特徴とする特定エリアでサービスメッセージや現在地情報をユーザの携帯デバイスに通知するための方法。
【請求項１３】
請求項２に記載された特定エリアでサービスメッセージや現在地情報をユーザの携帯デバイスに通知するための方法において、ステップ(G)のように、サービスメッセージの内容とメッセージ表示エリアの種類は、利用条件に基づいて、バックサイトデバイス機能モジュールに入力されることを特徴とする特定エリアでサービスメッセージや現在地情報をユーザの携帯デバイスに通知するための方法。
【手続補正３】
【補正対象書類名】明細書
【補正対象項目名】０００１
【補正方法】変更
【補正の内容】
【０００１】
本発明は特定エリアでサービスメッセージや現在地情報をユーザの携帯デバイスに通知するためのシステムとその方法に関連している。より具体的には、特定エリアであらゆるメッセージや現在地情報を通知するシステムや方法を通して、ユーザが最新情報の内容を理解し、グループメンバーとのやり取りを可能にするものである。
【手続補正４】
【補正対象書類名】明細書
【補正対象項目名】０００５
【補正方法】変更
【補正の内容】
【０００５】
本発明の主要目的は、特定エリアで積極的にサービスメッセージや現在地情報を送るためのシステムと特定エリアにいる個人ユーザまたはグループメンバーが情報内容を理解するための方法を提供することである。
【手続補正５】
【補正対象書類名】明細書
【補正対象項目名】０００６
【補正方法】変更
【補正の内容】
【０００６】
第二の目的は、特定エリアにいる個人ユーザ又はグループメンバーがマップの読み方や現在位置を把握するため、特定エリアでサービスメッセージや現在地を積極的に通知するためのシステムやそのための方法を提供することである。
【手続補正６】
【補正対象書類名】明細書
【補正対象項目名】０００７
【補正方法】変更
【補正の内容】
【０００７】
第三の目的は、特定エリアにいるユーザがマップ上でグループメンバーの現在地を確認し、彼らとやり取りするため、特定エリアでサービスメッセージや現在地を積極的に通知するためのシステムやそのための方法を提供することである。
【手続補正７】
【補正対象書類名】明細書
【補正対象項目名】００１０
【補正方法】変更
【補正の内容】
【００１０】
1つ以上のサービスデバイス機能モジュール。これは、バックサイトデバイス機能モジュールからユーザの携帯デバイスにメッセージを転送するためのものである。この1つ以上のサービスデバイス機能モジュールにはWiFi デバイスや処理デバイス機能モジュールが含まれている。この1つ以上のサービスデバイス機能モジュール内で、処理デバイス機能モジュールはテキストデバイスモジュール、音声デバイスモジュール、イラストレーテットデバイスモジュール、オーディオビジュアルデバイス、記録保管モジュール、場所情報記録デバイスモジュール、多言語処理機能デバイスモジュール、動的グループ管理デバイスモジュールを持つ。また、WiFi デバイスは携帯デバイスから転送されたメッセージと内部コードに基づき処理デバイス機能モジュールのメッセージを計算するために使用され、これにより、特定エリアで、ユーザの話す言語でメッセージや現在地情報をユーザに通知したり、機能が利用できるようになっている。
【手続補正８】
【補正対象書類名】明細書
【補正対象項目名】００２２
【補正方法】変更
【補正の内容】
【００２２】
1つ以上のサービスデバイス機能モジュール3はバックサイトデバイス機能モジュール2からユーザの携帯デバイス5にメッセージを送信するために利用される。1つ以上のサービスデバイス機能モジュール3にはWiFi デバイス301や処理デバイス機能モジュール302が含まれている。この1つ以上のサービスデバイス機能モジュール内で、処理デバイス機能モジュール302はテキストデバイスモジュール、音声デバイスモジュール、イラストレーテットデバイスモジュール、オーディオビジュアルデバイス、記録保管モジュール、場所情報記録デバイスモジュール、多言語処理デバイス機能モジュール、動的グループ管理デバイスモジュールを持つ。また、WiFi デバイス301は携帯デバイス5から転送されたメッセージと内部コードに基づき処理デバイス機能モジュール302は、メッセージを処理するために使用され、これにより、特定エリアで、ユーザの話す言語でメッセージや現在地情報をユーザの携帯デバイスに通知したり、機能が利用できるようになっている。
【手続補正９】
【補正対象書類名】明細書
【補正対象項目名】００２３
【補正方法】変更
【補正の内容】
【００２３】
ユーザが特定エリアにいるとき、ユーザの携帯デバイス5は携帯デバイス5の現在地情報501、言語使用システムコード502、およびグループ特定コード503を、1つ以上のサービスデバイス機能モジュール3に転送するように準備される。その後、指定された言語によるメッセージは、1つ以上のサービス デバイス機能モジュール3の処理デバイス機能モジュール302によって処理され、ユーザの携帯デバイス5に WiFi デバイス301から送信される。さらに、ユーザの携帯デバイス5は1つ以上のサービスデバイス機能モジュール3から言語メッセージおよび言語機能を受信し、1つ以上のサービスデバイス機能モジュールはユーザのグループを判断する。ユーザが特定グループメンバーの1人で、1つ以上のサービスデバイス機能モジュール3が特定グループメンバーの動的メッセージ4を選択的にユーザの携帯デバイス5に送信することにより、ユーザの携帯デバイス5のマップ上にグループメンバーの現在地情報を表示する。これにより、ユーザとそのグループメンバーは1つ以上のサービスデバイス機能モジュール3を無料で使用することにより、互いにメッセージ通信を送信し、グループメンバー間でコミュニケーションを取ることが可能となる。